(57)【要約】【課題】簡単な構成と既存の機構を利用することにより、ローラ表面の清掃を実施し、安定した印字品質を維持することができる画像記録装置を提供することである。【解決手段】搬送ベルト５２を有する搬送機構１３と、ラインヘッドを有する画像記録部１２と、画像記録部１２に設けられ、ラインヘッドより搬送方向上流側に配置されたローラ４１と、ローラ４１の清掃を行う清掃部材４８と、を有する用紙ガイド機構４０と、搬送機構１３と画像記録部１２との間隔が画像記録を行う第１の位置と、該第１の位置とは異なる第２の位置と、になるように搬送機構１３と画像記録部１２との少なくとも一方を移動させる移動機構１４と、を備え、第１の位置では、ローラ４１と搬送ベルト５２とが当接し、且つローラ４１と清掃部材４８とが非接触となり、第２の位置では、ローラ４１と搬送ベルト５２とが当接し、且つローラ４１と清掃部材４８とが接触する。【選択図】      図１
2010126268.tif 000002
【特許請求の範囲】
【請求項１】
記録媒体を搬送する搬送ベルトを有する搬送機構と、
前記搬送機構と対向して配置され、１つ、又は複数の記録ヘッドにより構成されたラインヘッドを有する画像記録部と、
前記画像記録部に設けられ、前記ラインヘッドより前記記録媒体の搬送方向上流側に配置され、前記搬送ベルトに当接して回転する用紙ガイドローラと、前記用紙ガイドローラのクリーニングを行う清掃部材と、を有する用紙ガイド機構と、
前記搬送機構と前記画像記録部との間隔が、前記記録媒体に画像記録を行う第１の位置と、該第１の位置とは異なる第２の位置と、になるように前記搬送機構と前記画像記録部との少なくとも一方を移動させる移動機構と、
を具備し、
前記第１の位置では、前記用紙ガイドローラと前記搬送ベルトとが当接し、且つ前記用紙ガイドローラと前記清掃部材とが非接触となり、前記第２の位置では、前記用紙ガイドローラと前記搬送ベルトとが当接し、且つ前記用紙ガイドローラと前記清掃部材とが接触する、ことを特徴とする画像記録装置。
【請求項２】
前記第２の位置に於いて、前記搬送ベルトを一定時間駆動させることを特徴とする請求項１に記載の画像記録装置。
【請求項３】
前記第２の位置は、前記搬送機構が前記第１の位置より前記画像記録部側に接近した位置であることを特徴とする請求項１、又は２に記載の画像記録装置。
【請求項４】
前記第２の位置は、前記搬送機構が前記第１の位置より前記画像記録部側から離反した位置であることを特徴とする請求項１、又は２に記載の画像記録装置。
【請求項５】
前記移動機構は、前記搬送機構を昇降させることを特徴とする請求項１乃至４のいずれか１項に記載の画像記録装置。
【請求項６】
前記搬送機構、又は前記画像記録部の一方に立設して設けられた調整機構を更に具備し、
前記調整機構は、前記搬送機構、又は前記画像記録部に当接することで前記間隔を前記第１の位置、又は前記第２の位置に調整し、更に前記調整機構は、前記当接した状態で、前記移動機構によって前記搬送機構、又は前記画像記録部の少なくとも一方を前記立設した方向に往復移動させることにより前記間隔を前記第１の位置、又は前記第２の位置に可変することを特徴とする請求項１乃至５のいずれか１項に記載の画像記録装置。
【発明の詳細な説明】
【技術分野】
【０００１】
本発明は、画像記録装置に関するもので、より詳細には、ヘッドと搬送機構との間隔を複数段階に設定することができる画像記録装置の用紙ガイドローラ清掃機構に関するものである。
【背景技術】
【０００２】
近年、簡便且つ安価に画像記録する画像記録装置としては、インクジェット方式の記録ヘッドを用いるインクジェットプリンタが一般的に知られている。このインクジェットプリンタには、記録速度を向上させるために複数のノズルによって形成されたノズル列を記録媒体の幅以上の長さに亘って配置し、搬送される記録媒体に対して、順次インクを吐出し、画像記録を行うものがある。
【０００３】
ここで、インクジェットプリンタの使用環境は、オフィスに限らず、さまざまな使用環境にさらされている。記録媒体が高温高湿の環境下に、包装も無しに長らく放置されていた場合、記録媒体が吸湿し、カットシート状の記録媒体の端が半ばカール状に反り上がってしまう。このように端部がカール状に反り上がった記録媒体をインクジェットプリンタで通紙した場合、特に、記録媒体の先端部のカール状の部分が記録ヘッドのノズル面に擦れて、記録媒体の端部または印刷面を汚してしまうという問題が発生する。
【０００４】
また、カールした記録媒体の先端部が記録ヘッドの側面等に当接すると、記録媒体がジャム状態になって、通紙が不安定となる場合が多い。更に、厚紙等の腰の強い記録媒体がカールした状態で記録ヘッドに衝突した場合は、記録ヘッドが破損することがある。
【０００５】
このような問題を解消するため、下記特許文献１に開示されるようなヘッドより搬送方向上流側に記録媒体の浮きを防止する紙押えローラを設置する技術がある。
【特許文献１】特開平７−５３０８２号公報
【発明の開示】
【発明が解決しようとする課題】
【０００６】
ところで、インクジェットプリンタに於いては、微細な吐出口から記録媒体にインクを吐出して画像記録が行われるが、吐出されたインクの全てが記録媒体に到達するわけではなく、インク滴の一部が分離し、記録媒体に到達することなく装置内に浮遊するインクミストになることがある。これら装置内に浮遊するインクミストは、時間経過に伴って装置内のどこかの部位に付着することになる。特に、ヘッド近傍に配置された記録媒体の浮きを防止するためのローラに付着する確率は高く、経時的に汚れが蓄積していく。そのような状態で、記録媒体が接触すると、記録媒体にインクが再転写され、記録画像の品位が劣化してしまうものであった。
【０００７】
したがって本発明は、前記課題に鑑みてなされたものであり、その目的は、簡単な構成と既存の機構を利用することにより、記録媒体の浮きを防止するために配置されたローラ表面の清掃を実施し、安定した印字品質を維持することのできる画像記録装置を提供することである。
【課題を解決するための手段】
【０００８】
本発明の画像記録装置は、記録媒体を搬送する搬送ベルトを有する搬送機構と、搬送機構と対向して配置され、１つ、又は複数の記録ヘッドにより構成されたラインヘッドを有する画像記録部と、画像記録部に設けられ、ラインヘッドより記録媒体の搬送方向上流側に配置され、搬送ベルトに当接して回転する用紙ガイドローラと、用紙ガイドローラのクリーニングを行う清掃部材と、を有する用紙ガイド機構と、搬送機構と画像記録部との間隔が、記録媒体に画像記録を行う第１の位置と、該第１の位置とは異なる第２の位置と、になるように搬送機構と画像記録部との少なくとも一方を移動させる移動機構と、を具備し、第１の位置では、用紙ガイドローラと搬送ベルトとが当接し、且つ用紙ガイドローラと清掃部材とが非接触となり、第２の位置では、用紙ガイドローラと搬送ベルトとが当接し、且つ用紙ガイドローラと清掃部材とが接触することを特徴とする。
【発明の効果】
【０００９】
本発明によれば、簡単な構成と既存の機構を利用することにより、ローラ表面の清掃を実施し、安定した印字品質を維持することができる画像記録装置を提供することができる。
【発明を実施するための最良の形態】
【００１０】
以下、図面を参照して本発明の実施形態について説明する。
【００１１】
（第１の実施形態）
先ず、図１乃至図１７を参照して、本発明の第１の実施形態について説明する。
【００１２】
図１は本発明の第１の実施形態に係る画像記録装置の概略的な構成を示したもので、（ａ）は画像記録装置の用紙ガイドローラのクリーニング位置の状態を示す概略側面図、（ｂ）は画像記録装置の画像記録位置の状態を示す概略側面図、（ｃ）は画像記録装置の非記録位置の状態を示す概略側面図である。図２は、プラテンの形状を示した図である。図３は、画像記録部を下方から見た図である。図４は用紙ガイド機構の詳細を示したもので、（ａ）は搬送方向から見た図、（ｂ）は用紙ガイド機構の側面図である。図５は用紙ガイド機構と搬送機構との位置関係について搬送方向より見て示したもので、（ａ）は用紙ガイドローラのクリーニング状態に於ける位置関係を示した図、（ｂ）は画像記録状態に於ける位置関係を示した図、（ｃ）は非画像記録状態に於ける位置関係を示した図である。
【００１３】
また、図６は、本発明の第１の実施形態に於けるギャップ調整機構の斜視図である。図７は、ギャップ調整機構がヘッドユニットに取り付けられた状態を示した断面図である。図８は、ガイドコマの外観斜視図である。図９は調整コマの斜視図であり、（ａ）及び（ｂ）は異なる角度より示した図である。図１０は、ガイドコマの溝部に突起部が係合している状態を拡大して示した斜視図である。図１１は、調整コマの底面部のみ拡大して示した斜視図である。図１２は調整コマの底面部について説明するもので、（ａ）は調整コマの底面側から見た平面図、（ｂ）は（ａ）のＦ−Ｆ′線に沿ったガイドコマとの当接部の断面図、（ｃ）は（ａ）のＧ−Ｇ′線に沿ったガイドコマとの当接部の断面図である。図１３はガイドコマの底面部について説明するもので、（ａ）はガイドコマの底面側から見た平面図、（ｂ）は（ａ）のＨ−Ｈ′線に沿った調整コマとの当接部の断面図、（ｃ）は（ａ）のＩ−Ｉ′線に沿った調整コマとの当接部の断面図である。図１４は、ガイドコマと調整コマとの係合状態を示す平面図である。図１５は、ガイドコマと調整コマとの係合状態を示す断面図である。図１６は、本発明の第１の実施形態に於けるギャップ調整機構の動作を説明するためのもので、ガイドコマを外周面に沿って展開した図である。図１７は、ギャップ調整機構の動作時に於ける調整コマとガイドコマとの位置関係を示した図である。
【００１４】
尚、本実施形態に於いては、記録媒体の搬送方向をＸ方向とし、該Ｘ方向と直交する方向をＹ方向または幅方向とし、Ｘ方向及びＹ方向に直交する方向をＺ方向または上下方向と称するものとする。
【００１５】
本実施形態に於いて、画像記録装置１０は、大別すると、供給部１１と、画像記録部１２と、搬送機構１３と、昇降機構１４と、排出部１５と、に分けて構成されている。
【００１６】
先ず、供給部１１について説明する。
【００１７】
供給部１１は、記録媒体２１を収容する給紙台２２と、給紙ローラ２３と、レジストローラ対２４とを有して構成される。
【００１８】
給紙ローラ２３はピックアップローラとも称されるもので、給紙台２２に収容されている記録媒体２１と接触して、該記録媒体２１を１枚単位で順次画像記録部１２に取り出す。
【００１９】
また、レジストローラ対２４は、上下一対のレジストローラ２４ａ、２４ｂで構成されるもので、下方のレジストローラ２４ｂの上面が記録媒体２１の搬送経路延長線上と略同一面となるように配置されている。また、レジストローラ２４ｂの上方には、該レジストローラ２４ｂを下方に押圧するように、図示されないばねによって付勢されているレジストローラ２４ａが設けられている。
【００２０】
このレジストローラ２４ａとレジストローラ２４ｂとは、支持軸が略平行となっている。更に、このレジストローラ対２４は、給紙ローラ２３によって給紙された記録媒体２１の先端が、該レジストローラ対２４のニップ部に当接した際に、記録媒体２１の搬送方向（Ｘ軸方向）に対する傾き（斜行）を補正（矯正）してから、後述する画像記録部１２に於ける画像記録タイミングに合わせて記録媒体２１を搬送機構１３へと搬送する。
【００２１】
次に画像記録部１２について説明する。
【００２２】
画像記録部１２は、本実施形態では、例えば、４色（シアン（Ｃ）、ブラック（Ｂ）、マゼンタ（Ｍ）、イエロ（Ｙ））のインクを吐出するヘッド部３１（３１Ｃ、３１Ｋ、３１Ｍ、３１Ｙ）と、このヘッド部３１を保持するヘッド保持部材３２と、用紙ガイド機構４０と、を有して構成されている。
【００２３】
図３に示されるように、ヘッド保持部材３２には、複数の開口３５が設けられている。この開口３５に、短尺な記録ヘッド（図示せず）を位置決めして、固定する。これによりヘッド部３１は、記録媒体２１の幅方向に於ける画像記録が行われる記録領域と同等、またはそれ以上となるラインヘッドを構成している。
【００２４】
尚、本実施形態では、各色６個の記録ヘッドを搬送方向と直交する方向（Ｙ方向）に千鳥配置し、記録媒体２１の幅と同等、またはそれ以上となるヘッド部３１を構成している。勿論、記録ヘッドの数はこれに限られずに、１個の長尺な記録ヘッドによってヘッド部３１を構成するようにしてもよい。また、記録ヘッドの配置は千鳥配置に限らず、記録ヘッドの一部を重複させ、搬送方向と直交する方向に配置することでヘッド部３１を構成してもよい。
【００２５】
ヘッド部３１（３１Ｃ〜３１Ｙ）は、図示されないインク供給部からそれぞれ供給された各色インクを、記録媒体２１に吐出して画像を記録する。また、ヘッド保持部材３２の４隅には、調整機構としてのギャップ調整機構３３が設けられ、各色のヘッド部３１に対して搬送方向上流側には、用紙ガイド機構４０が設けられている。これらギャップ調整機構３３及び用紙ガイド機構４０の詳細については後述する。
【００２６】
次に、搬送機構１３について説明する。
【００２７】
搬送機構１３は、供給部１１の搬送方向下流側に配置され、画像記録部１２と対向配置されている。この搬送機構１３は、吸引ファン５１と、搬送ベルト５２と、プラテン５３と、駆動ローラ５４と、従動ローラ５５と、テンションローラ５６（５６ａ、５６ｂ）と、搬送フレーム５７とで構成されている。
【００２８】
搬送ベルト５２は、搬送される記録媒体２１の幅寸法以上の幅を有して無端で帯状に形成され、且つ、その表面に多数の孔が設けられている。この搬送ベルト５２は、搬送フレーム５７に回転可能に保持された駆動ローラ５４、従動ローラ５５及びテンションローラ５６によってテンションが掛けられた状態で保持され、駆動ローラ５４を駆動することで所定方向に回転する。
【００２９】
また、搬送ベルト５２の下方には、プラテン５３が設けられている。このプラテン５３も、搬送フレーム５７によって保持されている。プラテン５３は、少なくとも画像記録部１２と対向する領域が平面となるように加工されており、図２に示されるように多数の孔５３ａが形成されている。
【００３０】
また、吸引ファン５１は、プラテン５３の下方に配置されて、搬送フレーム５７によって保持されている。この吸引ファン５１は、搬送ベルト５２に形成された多数の孔及びプラテン５３の孔５３ａを介して、エアーを吸引する。これにより、レジストローラ対２４から搬送された記録媒体２１は搬送ベルト５２上に吸着され、所定の搬送速度で下流側へと搬送される。
【００３１】
次に、昇降機構１４について説明する。
【００３２】
昇降機構１４は、搬送機構１３の下方に設置されるもので、搬送機構１３を移動可能に保持する移動機構である。この昇降機構１４は、搬送機構１３を記録媒体２１に対して画像記録可能な記録位置（図１（ｂ））と、用紙ガイドローラ４１のクリーニング位置（図１（ａ））と、ＪＡＭ（ジャム）時やヘッドのクリーニング時の退避位置（図１（ｃ））と、に移動可能にする。
【００３３】
昇降機構１４は、４個の昇降アーム６１ａ、６１ｂ、６１ｃ、６１ｄ（図では６１ａ、６１ｂの２個のみが示される）が設けられている。この４個の昇降アーム６１、６１ｂ、６１ｃ、６１ｄの先端には、コロ６２ａ、６２ｂ、６２ｃ、６２ｄ（図では６２ａ、６２ｂの２つのみが示される）が設けられている。このコロ６２ａ、６２ｂ、６２ｃ、６２ｄが、搬送フレーム５７の下端縁にそれぞれ当接している。
【００３４】
昇降アーム６１ａ、６１ｃは、プリンタフレーム（図示せず）に回転可能に保持されたアーム軸６３ａに保持され、昇降アーム６１ｂ、６１ｄは、同じくプリンタフレームに回転可能に保持されたアーム軸６３ｂに保持されている。アーム軸６３ａは、図示されない駆動源に連結されており、アーム軸６３ｂは、図示されない駆動伝達系を介してアーム軸６３ａと連動する。このアーム軸６３ｂは、回転軸を中心としてアーム軸６３ａと反対方向に回転するように構成されている。
【００３５】
すなわち、アーム軸６３ａ、６３ｂが、図１の矢印Ｅ１方向及び矢印Ｅ２方向に同期して回転すると、昇降アーム６１（６１ａ、６１ｂ、６１ｃ、６１ｄ）の各コロ６２（６２ａ、６２ｂ、６２ｃ、６２ｄ）は、搬送フレーム５７の下端縁に当接しながら移動する。これにより、搬送機構１３を画像記録部１２と平行に保持する姿勢を維持しながら下降させることができる。
【００３６】
また、アーム軸６３ａ、６３ｂが図示矢印Ｅ１方向及び図示矢印Ｅ２方向とは反対方向に同期して回転すると、昇降アーム６１（６１ａ、６１ｂ、６１ｃ、６１ｄ）の各コロ６２（６２ａ、６２ｂ、６２ｃ、６２ｄ）は、搬送フレーム５７の下端縁に当接しながら移動する。これにより、搬送機構１３を上昇させることができる。
【００３７】
尚、昇降機構１４としては、例えば、搬送機構１３をワイヤによる吊り上げ機構であってもよいし、リンク機構等を適用してもよい。
【００３８】
次に、排出部１５について説明する。
【００３９】
排出部１５は、搬送機構１３の搬送方向下流に配置されている。この排出部１５は、排紙ローラ対６６と、ストッカ６７とを有している。排紙ローラ対６６は、画像記録済みの記録媒体２１を搬送機構１３から排出する役目をなすものである。ストッカ６７は、画像記録済みの記録媒体２１をストックする役目をなしている。
【００４０】
次に、用紙ガイド機構４０について説明する。
【００４１】
用紙ガイド機構４０は、ヘッド保持部材３２の搬送機構１３と対向する対向面に設けられるもので、図３に示されるように、各色のヘッド部３１ヘッドに対して搬送方向上流側に配設されている。本実施形態では、４箇所に用紙ガイド機構４０が配設されている。
【００４２】
この用紙ガイド機構４０は、図４（ａ）及び（ｂ）に示されるように、主に用紙ガイドローラ４１と、ローラ軸受け４３と、ホルダ４５と、押圧バネ４６と、清掃部材４８とで構成されている。
【００４３】
用紙ガイドローラ４１は、図４（ａ）に示されるような形状をしている。すなわち、用紙ガイドローラ４１の両端部４１ａは搬送ベルト５２に当接する箇所であり、中央部４１ｂは、両端部４１ａよりも径が細くなっていて、記録媒体２１が通過する箇所である。図４（ａ）にＡで示される寸法は、両端部４１ａと中央部４１ｂとの段差を示すもので、記録媒体２１がヘッドに当接しないように設定されており、例えば、記録媒体２１が普通紙であるとすると、０．５ｍｍ程度が望ましい。また、図中Ｂで示される寸法Ｂは、記録媒体２１の幅以上の長さが必要である。
【００４４】
この用紙ガイドローラ４１は、軸４２を介して、両端がローラ軸受け４３によって保持されている。ローラ軸受け４３は、ホルダ４５に対して上下方向に摺動可能に取り付けられている。そして、ローラ軸受け４３は、付勢部材としての押圧バネ４６によって、下方（搬送機構）に向けて付勢されている。
【００４５】
ホルダ４５は、ヘッド保持部材３２の搬送機構１３と対向する対向面に取り付けられている。このホルダ４５には、用紙ガイドローラ４１の径が細い中央部４１ｂに対向する部分に、清掃部材４８が着脱可能に取り付けられている。本実施形態に於いては、この清掃部材４８は、スポンジのようなインク吸収体が用いられている。したがって、用紙ガイドローラ４１の中央部４１ｂの表面に付着したインクは、該ローラに清掃部材４８が接触することによって該清掃部材４８に吸収され、これによってローラ表面がクリーニングされるようになっている。また、清掃部材４８は、搬送機構１３が印字を行う状態である時、用紙ガイドローラ４１とは一定の隙間が開くように保持されている。
【００４６】
次に、ギャップ調整機構３３について詳細に説明する。
【００４７】
本ギャップ調整機構３３は、図６に示されるように、第１の部材として略円柱形状のガイドコマ７５と、このガイドコマ７５を内部に挿脱可能な第２の部材として略円筒形状の調整コマ７６と、ガイドコマ７５の外周部に巻回された付勢部材として付勢バネ７７とを有して構成される。
【００４８】
ガイドコマ７５には、図８に示されるように、その外周面に調整コマ７６を回転させるための調整部材として溝部７５ｃが形成されている（この溝部７５ｃの展開図を図１６に示す）。それと共に、ガイドコマ７５の底面（搬送機構１３側）７５ａには、扇形状の凸部７５ｂが設けられている。
【００４９】
また、図９（ａ）、（ｂ）に示されるように、円筒状の調整コマ７６は、ガイドコマ７５に対し、上下方向に摺動可能に嵌装される。この調整コマ７６の内周面の所定位置には、突起７６ｃが２つ設けられている。これらの突起７６ｃが、図１０に示されるように、ガイドコマ７５の溝部７５ｃと係合することにより、調整コマ７６を上下方向に摺動させた際、該調整コマ７６がガイドコマ７５周りを回転する。この回転方向の運動についての詳細は後述する。更に、調整コマ７６の底面７６ａ内側のガイドコマ７５と当接する部分には、図１１及び図１２に示されるように、扇形状の凸部７６ｂが形成されている。尚、付勢バネ７７は、調整コマ７６を下方向、つまりガイドコマ７５から離間する方向に付勢するためのバネである。
【００５０】
次に、図７を参照して、前記のように構成されたギャップ調整機構３３がヘッド保持部材３２に取り付けられた際の位置関係について説明する。
【００５１】
ヘッド保持部材３２のギャップ調整機構３３が設けられる部分にはピン８０が形成されている。本実施形態では、このピン８０はヘッド保持部材３２の４隅に設置されるが、その際、４本のピンの先端８０ａは、ヘッドノズル面に対し正確な高さに設定される。
【００５２】
ガイドコマ７５は、このピン８０に隙間が生じないように圧入される。このようにして固定されたガイドコマ７５に、付勢バネ７７が巻回されて装着された後、ガイドコマ７５に対して調整コマ７６を嵌装させる。この際、前述したように、ガイドコマ７５の溝部７５ｃと調整コマ７６の内周面の突起部７６ｃを係合させるようにして嵌装させる必要がある。ガイドコマ７５の溝部７５ｃは、底面７５ａに開口した部分（図１６の７５ｃ1 ）が形成されているため、調整コマ７６は、その部分から突起部７６ｃがガイドコマ７５の溝部７５ｃに係合するように嵌装される。これにより、ガイドコマ７５と調整コマ７６とが一体となり、調整コマ７５が落下することはない。そして、付勢バネ７７によって調整コマ７６は、プラテン５３に向けて付勢されている。
【００５３】
尚、本実施形態では、ヘッド保持部材３２にピン８０を設け、このピン８０にガイドコマ７５を圧入させたがヘッド保持部材３２に直接ガイドコマ７５を形成しても構わない。
【００５４】
次に、ガイドコマ７５に対して調整コマ７６が回転することにより、高さを調整する方法について説明する。
【００５５】
前述したように調整コマ７６の底面７６ａには、扇形状の凸部７６ｂが形成されている。この凸部７６ｂと底面７６ａとの高さ方向の差は、図１２（ｂ）及び（ｃ）に示されるように、段差ａとなっている。また、図１２（ａ）に示されるように、底面７６ａに於ける凸部７６ｂが形成されている部分の円周方向の範囲はθ１に設定され、凸部７６ｂが形成されていない部分の円周方向の範囲はθ２に設定されている。
【００５６】
一方、ガイドコマ７５の底面７５ａと凸部７５ｂとの高さ方向の差は、図１３（ｂ）及び（ｃ）に示されるように、段差ｂとなっている。また、図１３（ａ）に示されるように、底面７５ａに於ける凸部７５ｂが形成されている部分と凸部７５ｂが形成されていない部分の範囲は、調整コマ７６と同様にθ１、θ２に設定されている。尚、段差ａと段差ｂとの関係は、ａ＞ｂとなり、θ１とθ２との関係は、θ１＜θ２となっている。これは、ギャップ量を可変させる時、ガイドコマ７５の凸部７５ｂ及び調整コマ７６の凸部７６ｂが互いに干渉し合うのを防ぐためである。
【００５７】
そして、調整コマ７６がガイドコマ７５に対して相対移動することにより、図１４及び図１５に示されるように、ガイドコマ７５に対する調整コマ７６の凸部７６ｂが突き当たる位置が変化し、ヘッド保持部材３２と搬送機構１３とのギャップ量が可変される。尚、図１４（ａ）及び図１５（ａ）に示される位置を記録位置、図１４（ｂ）及び図１５（ｂ）に示される位置を用紙ガイドローラのクリーニング位置（標準よりギャップが段差ｂ分だけ狭い位置）と設定している。
【００５８】
次に、ガイドコマ７５の溝部７５ｃと調整コマ７６の突起７６ｃが係合しながら、搬送機構１３の突き当て動作により回転させる方法について説明する。
【００５９】
図１６は、ガイドコマ７５に形成された溝部７５ｃを外周面に沿って展開した図である。図中７６ｃ1 〜７６ｃ8 は調整コマ７６の内周面に形成された突起７６ｃの位置を示し、７５ｃ1 はギャップ調整機構７０を組み立てる際に突起７６ｃを通すための溝部である。図１７は、調整コマ７６の底面７６ａ及び凸部７６ｂとガイドコマ７５の底面７５ａ及び凸部７５ｂとの位置関係を示す図であり、便宜上、調整コマ７６を破線、ガイドコマ７５を実線で示している。
【００６０】
尚、以下の説明に於いて、調整コマ７６の上下動作は搬送機構１３を上下動による調整コマ７６ヘの突き当たり動作で実現される。
【００６１】
いま、搬送機構１３が調整コマ７６から離間した状態、すなわち、図７に示されるように、調整コマ７６が付勢バネ７７によって下方向に押し下げられている状態では、突起部７６ｃは７６ｃ1 の場所に位置している（初期位置）。この時、ガイドコマ７５及び調整コマ７６は、図１７（ａ）に示される位置関係にある。
【００６２】
この状態から昇降機構１４によって搬送機構１３を上昇させると、プラテン５３に形成された当接部が調整コマ７６に当接し、更に搬送機構１３を上昇させると、調整コマ７６が上昇し、突起７６ｃが初期位置から上方向に押し上げられ、７６ｃ2 の位置に到達する。この位置から更に調整コマ７６を上昇させると、突起７６ｃは斜面７５ｃ2 及び溝部７５ｃ3 に沿って７６ｃ３ の位置まで移動する。
【００６３】
ここで、突起７６ｃが斜面７５ｃ2に沿って移動しているとき、調整コマ７６は、図１７（ａ）に示される位置からガイドコマ７５の外周面に沿って図１７（ｂ）に示される位置まで時計回りに回転しながら移動（上昇）する。突起７６ｃが溝部７５ｃ3 に沿って移動しているときは、調整コマ７６は回転せずに上昇する。そして、突起７６ｃが溝部７５ｃ3 に沿って７６ｃ3 の位置、すなわちクリーニング位置まで到達すると、図１５（ｂ）に示されるように、ガイドコマ７５の底面７５ａと調整コマ７６の凸部７６ｂが当接する。これによりヘッド保持部材３２と搬送機構１３とのギャップ量が決定される。
【００６４】
このように、突起６２ｃが溝部７５ｃ3 に於ける７６ｃ3 の位置に位置した状態を、後述する画像記録位置である第１の設定位置に対して、ギャップ調整機構７０の第２の設定位置（ローラクリーニング状態）とする。尚、ガイドコマ７５の底面７５ａと調整コマ７６の凸部７６ｂが当接した際、ガイドコマ７５の凸部７６ｂが調整コマ７５の底面７５ａと当接しないように、前述したような段差ａ及びｂの関係を有している。
【００６５】
次に、画像記録部１２と搬送機構１３とのギャップ量を可変する、つまりギャップ調整機構７０を第２の設定位置とは異なる前記第１の設定位置（画像記録状態）に可変する際は、一度搬送機構１３を下降させる。これにより、調整コマ７６は、付勢バネ７７によって搬送機構１３に向けて付勢されているため、７６ｃ3 の位置にあった突起７６ｃは７６ｃ4 の位置まで下降する。
【００６６】
そして、更に下降させると、突起７６ｃは、斜面７５ｃ4 を滑り落ちて７６ｃ5 の位置に到達する。突起７６ｃが斜面７５ｃ4 に沿って移動しているとき、調整コマ７６は図１７（ｂ）に示される位置からガイドコマ７５の外周面に沿って図１７（ｃ）に示される位置まで時計回りに回転しながら移動（下降）する。尚、突起７６ｃが７６ｃ4 の位置から７６ｃ5 の位置に到達するまでの間、プラテン５３に形成された当接部と調整コマ７６は、当接状態が維持されている。
【００６７】
そして、突起７６ｃが７６ｃ5 の位置に到達すると、搬送機構１３の下降を停止し、再度上昇させる。これにより、調整コマ７６は上昇し、突起７６ｃは７６ｃ5 の位置から７６ｃ6 の位置まで移動し、斜面７５ｃ5 及び溝部７５ｃ6 を沿って７６ｃ7 の位置まで移動する。突起７６ｃが斜面７５ｃ5 を移動しているとき、調整コマ７６は図１７（ｃ）に示される位置から図１７（ｄ）に示される位置に回転しながら移動する。また、突起７６ｃが溝部７５ｃ6 に沿って移動しているときは、調整コマ７６は回転せずに上昇する。そして、突起７６ｃが溝部７５ｃ6 に沿って７６ｃ7 の位置、すなわち記録位置まで到達すると、図１５（ａ）に示されるように、ガイドコマ７５の凸部７５ｂと調整コマ７６の凸部７６ｂが当接する。これにより画像記録部１２と搬送機構１３とのギャップ量は、前述した第２の設定位置（ローラクリーニング状態）時のギャップ量より段差ｂだけ間隔を有していることになる。このように突起６２ｃが溝部７５ｃ6 に於ける７６ｃ6 の位置に位置した状態をギャップ調整機構７０の第１の設定位置（画像記録状態）とする。
【００６８】
ここで、突起７６ｃを破線αで示した位置より７６ｃ4 側に位置している状態で搬送機構１３を上昇させると、突起７６ｃは、斜面７５ｃ8 に沿って移動し、調整コマ７６は図１７（ｅ）に示されるように、反時計回り回転しながら上昇する。そして、図１７（ｂ）に示される第２の設定位置の状態を維持する。また、突起７６ｃの位置が破線αで示した位置より７６ｃ５ 側となるように搬送機構１３を下降させてから、再度搬送機構１３を上昇させれば、突起７６ｃは、斜面７５ｃ5 に沿って移動し、図１７（ｄ）に示される第１の設定位置（画像記録状態）となる。
【００６９】
また、搬送機構１３を下降し、調整コマ７６とプラテン５３の当接部との当接を解除すると、突起７６ｃは、７６ｃ8 の位置に到達する。この７６ｃ8 の位置は、前述した７６ｃ1 の位置と同様な位置関係である。つまり、７６ｃ8 の位置に於いても調整コマ７６は、図１７（ａ）に示される状態となる。これにより、搬送機構１３が下降し、プラテン５３の当接部が調整コマ７６から離間すると、常に突起７６ｃの位置を初期位置へと戻すことができる。これにより、例えば、ＪＡＭ処理等でプラテン５３の当接部と調整コマ７６との当接が解除され、再度搬送機構１３を移動（上昇）させた際、ギャップ調整機構３３を第２の設置位置（ローラクリーニング状態）に位置づけることができ、制御が容易となる。
【００７０】
更に、第１の設定位置（記録状態）から第２の設定位置（ローラクリーニング状態）に変更する場合は、搬送機構１３を下降させて、突起７６ｃを斜面７５ｃ4 に沿って破線βで示した位置より７６ｃ8 側まで移動させ、再度搬送機構１３を上昇させれば第２の設定位置に変更することができる。尚、破線βで示した位置より７６ｃ5 側で搬送機構１３を上昇させた場合は、調整コマ７６は、図１７（ｆ）に示されるように、反時計回りに回転しながら上昇し、図１７（ｄ）に示される第１の設定位置の状態を維持する。
【００７１】
このように本第１の実施形態によれば、搬送機構１３の移動のみで調整コマ７６の凸部７６ｂとガイドコマ７５の当接する箇所（底面７５ａまたは凸部７５ｂ）を可変させることができる。これにより、搬送機構１３と画像記録部１２とのギャップ量を容易に、且つ正確に可変させることができる。
【００７２】
次に、このように構成された画像記録装置１０の動作について説明する。
【００７３】
画像記録装置１０の図示されない操作パネルから、画像形成の指示が入力操作されるか、または信号線で接続された図示されないホスト機器から画像形成の指示信号が入力されると、搬送機構１３は昇降機構１４によって退避位置から上昇し、ヘッド保持部材３２のギャップ調整機構３３とプラテン５３の当接面が突き当てられて、前述したような動作で第２の設定位置に停止する。
【００７４】
図５（ａ）に示される状態が、この第２の設定位置を表しており、用紙ガイドローラ４１は、両端部４１ａが搬送ベルト５２に当接しているため、該搬送ベルト５２を駆動源として連れ回りすることができる。また、第２の設定位置に於いて清掃部材４８は、用紙ガイドローラ４１の中央部４１ｂに接触している。したがって、この状態で搬送ベルト５２を走行させると、用紙ガイドローラ４１が回転し、該ローラに接触している清掃部材４８によってそのローラ表面に付着しているインクが吸収される。このようにして、用紙ガイドローラ４１は清掃部材４８によってクリーニングされる。
【００７５】
搬送ベルト５２を駆動する時間は、用紙ガイドローラ４１のクリーニングに必要な時間に設定される。しかしながら、これに限られず、装置の使用時間によって時間設定を変更するようにしてもよい。
【００７６】
その後、図示されない制御機構により、昇降機構１４を動作させて搬送機構１３を移動させる。すると、ギャップ調整機構３３の前述したような動作により、図５（ｂ）に示されるように、第１の設定位置（画像記録状態）で停止する。この時、用紙ガイドローラ４１の両端部４１ａは、押圧バネ４６により搬送ベルト５２と当接した状態を維持している。また、用紙ガイドローラ４１の中央部４１ｂは、清掃部材４８との接触が解除された状態となっている。  そして、レジストローラ対２４、駆動ローラ５５、排紙ローラ対６６が駆動された上で、給紙ローラ２３が駆動される。これにより、給紙トレイ２２から最上部の１枚の記録媒体２１が取り出される。そして、レジストローラ対２４のレジストローラ２４ａとレジストローラ２４ｂとの対向部で形成されている把持部に、記録媒体２１が到達する。
【００７７】
このとき、レジストローラ２４ａ及びレジストローラ２４ｂは、図示されないレジストクラッチによって回転が一時静止されている。これにより、レジストローラ対２４に向けて搬送されてきた記録媒体２１は、前記把持部に突き当たり、一旦進行が制止されて、被搬送姿勢が矯正される。すなわち、斜行があればその斜行が修正される。
【００７８】
そして、所定時間後に、レジストクラッチによる回転制止が解除され、レジストローラ対２４の回転を開始することにより、記録媒体２１は、所定の速度で搬送機構１３の搬送ベルト５２上へと送り出される。この搬送ベルト５２上には、プラテン５３に設けられた無数の孔と搬送ベルト５２に設けられた無数の孔を介して、吸引ファン５１による吸引力が作用している。
【００７９】
レジストローラ対２４から搬送ベルト５２上に送り出された記録媒体２１は、図１に於いて時計回り方向に循環移動する搬送ベルト５２上に、前述した吸引力によって吸着された状態で、所定の搬送速度でＸ方向へと搬送される。
【００８０】
用紙ガイドローラ４１は、搬送ベルト５２の上面から浮いてしまった記録媒体２１の一部を搬送ベルト５２に押さえつけることによって、確実に搬送ベルト５２に記録媒体２１を吸着させると共に、ヘッド部３１へ記録媒体２１が接触することを回避する。尚、前述したように用紙ガイドローラ４１の両端部４１ａは、搬送ベルト５２と当接してため、用紙ガイドローラ４１は、搬送ベルト５２の移動に追従して回転する。これにより、用紙ガイドローラ４１によるＪＡＭを防止することができる。
【００８１】
そして、搬送ベルト５２によって搬送されてくる記録媒体２１には、画像形成位置に達したタイミングに合わせて各ヘッド部３１Ｃ、３１Ｋ、３１Ｍ、３１Ｙからインク滴が吐出され、画像が記録される。
【００８２】
こうして、各色の画像が重ねて記録された記録媒体２１は、排紙ローラ対６６によって装置外に排出され、排紙トレイ６７内に載置、収容される。
【００８３】
また、ＪＡＭ時やヘッドのクリーニング時には、図５（ｃ）に示されるように、退避位置として、搬送機構１３が第３の設定位置に移動される。この場合、搬送機構１３は、前述した第２の設定位置（ローラクリーニング状態）や第１の設定位置（画像記録状態）よりも下降した位置となる。このとき、清掃部材４８は、用紙ガイドローラ４１（４１ｂ）とは非接触の状態である。
【００８４】
このように、第１の実施形態によれば、既存のギャップ調整機構３３を利用することにより、ローラ表面の清掃を実施し、且つ、安定した印字品質を維持することができる。
【００８５】
また、本第１の実施形態では、印字動作の最初に用紙ガイドローラの清掃動作を行うようにしたが、毎回の印字動作で実施せずに適当な間隔をあけて実施してもよい。また、ＪＡＭ処理後のクリーニングとして実行させると効果的である。
【００８６】
更に、本第１の実施形態では、清掃部材にスポンジを使用した例を示したが、これに限ることなく、インク及びインクミストを除去するものであれば、他の材質のものを使用してもよい。
【００８７】
（第２の実施形態）
次に、本発明の第２の実施形態について説明する。
【００８８】
図１８は本発明の第２の実施形態に於ける用紙ガイド機構と搬送機構との位置関係について示したもので、（ａ）は退避位置に於ける位置関係を示した側面図、（ｂ）は用紙ガイドローラのクリーニング状態に於ける位置関係を示した側面図、（ｃ）は画像記録状態に於ける位置関係を示した側面図である。また、図１９は本発明の第２の実施形態に於ける用紙ガイド機構と搬送機構との位置関係について搬送方向より見て示したもので、（ａ）は退避位置に於ける位置関係を示した図、（ｂ）は用紙ガイドローラのクリーニング状態に於ける位置関係を示した図、（ｃ）は画像記録状態に於ける位置関係を示した図である。
【００８９】
尚、この第２の実施形態に於いて、画像記録装置の基本的な構成及び動作については、前述した第１の実施形態と同じであるので、これらの構成及び動作については、同一の部分には同一の参照番号を付して、その図示及び説明は省略するものとし、異なる部分の構成及び動作についてのみ説明する。
【００９０】
図１８及び図１９に於いて、用紙ガイド機構９０は、用紙ガイドローラ４１と、押圧バネ４６と、清掃部材４８と、ホルダ９１と、揺動アーム９２と、付勢バネ９４とを有して構成される。
【００９１】
揺動アーム９２は、例えばＶ字形状に形成されているもので、ホルダ９１に対して、その両端を支点９３により軸支され、該支点９３を中心にして揺動する。更に、揺動アーム９２の一方の端部（搬送方向の上流側）９２ａには、用紙ガイドローラ４１と当接する位置に、清掃部材４８が取り付けられている。また、揺動アーム９２の他方の端部（搬送方向の下流側）９２ｂ近傍には付勢バネ９４が設けられており、清掃部材４８を用紙ガイドローラ４１の中央部４１ｂに当接させる方向に付勢している。揺動アーム９２の端部９２ｂは、搬送機構１３のプラテン５３に係合する位置にある。
【００９２】
図１８（ａ）及び図１９（ａ）に示されるように、用紙ガイドローラ４１とプラテン５３の当接部とは離間している。この状態は、ＪＡＭ時やヘッドのクリーニング時の退避位置であり、搬送機構１３が第３の設定位置（退避状態）にあることを表している。この場合、搬送機構１３は、後述する第１の設定位置（画像記録状態）や第２の設定位置（ローラクリーニング状態）よりも下降した位置となる。尚、このとき、清掃部材４８は、用紙ガイドローラ４１の中央部４１ｂと接触している状態である。
【００９３】
次に、図１８（ｂ）及び図１９（ｂ）に示されるように、搬送機構１３を上昇させると、用紙ガイドローラ４１の両端部４１ａが搬送ベルト５２と接触し、揺動アーム９２の端部９２ｂがプラテン５３の当接部と離間した状態となる。この状態が第２の設定位置（ローラクリーニング状態）である。このとき、清掃部材４８は、用紙ガイドローラ４１の中央部４１ｂと接触している状態である。
【００９４】
更に、図１８（ｃ）及び図１９（ｃ）に示されるように、搬送機構１３を上昇させると、揺動アーム９２の端部９２ｂもプラテン５３の当接部と当接した状態となる。この状態が、第１の設定位置（画像記録状態）である。この場合、搬送機構１３は、第２の設定位置（ローラクリーニング状態）や第３の設定位置（退避状態）よりも上昇した位置となる。尚、このとき、搬送機構１３が上昇してプラテン５３が揺動アーム９２の端部９２ｂに当接するので、揺動アーム９２が揺動されて、清掃部材４８が用紙ガイドローラ４１の中央部４１ｂに非当接の状態となる。
【００９５】
次に、本発明の第２の実施形態の画像記録装置の動作について説明する。
【００９６】
尚、記録媒体２１の搬送及び記録動作については、前述した第１の実施形態と同様であるので説明を省略し、第１の実施形態と異なる動作について以下に説明する。
【００９７】
搬送機構１３が昇降機構１４によって、図１８（ａ）及び図１９（ａ）に示される退避位置である第３の設定位置から上昇すると、図１８（ｂ）及び図１９（ｂ）に示されるように、画像記録位置に達する手前で一度停止する。この時、用紙ガイドローラ４１の両端部４１ａは搬送ベルト５２に当接し、搬送ベルト５２を駆動源として連れ回りすることができる状態にある。また、揺動アーム９２の端部９２ｂは、まだプラテン５３に当接しておらず、付勢バネ９４の作用によって、清掃部材４８がガイドローラ４１の中央部４１ｂに当接する。この状態で搬送ベルト５２を走行させると、用紙ガイドローラ４１が回転して、該ローラの表面がクリーニングされる。
【００９８】
そして、クリーニング動作が終了すると、昇降機構１４を駆動して、搬送機構１３を上昇させ、図１８（ｃ）及び図１９（ｃ）に示されるように、画像記録位置で停止する。この時、揺動アーム９２の端部９２ｂはプラテン５３と当接し、揺動アーム９２が支点９３を中心にして、図１８（ｃ）に於いて時計回りに回転し、清掃部材４８の中央部４１ｂへの当接を解除する。
【００９９】
このように、第２の実施形態によっても、簡単な構成と既存の機構を利用することにより、ローラ表面の清掃を実施し、安定した印字品質を維持することができる。
【０１００】
また、本第２の実施形態に於いても、清掃部材にスポンジを使用した例を示したが、前述した第１の実施形態と同様に、インク及びインクミストを除去するものであれば、他の材質のものを使用してもよい。
【０１０１】
尚、前述した第１及び第２の実施形態では、搬送機構を移動可能にして、該搬送機構と画像記録部との間隔を調整する旨説明したが、これに限られるものではなく、搬送機構を固定とし、画像記録部を移動可能にして両者の間隔を調整するようにしても良い。更には、搬送機構、画像記録部の両者を移動可能に設けても良い。
【０１０２】
また、ギャップ調整機構は画像記録部側に取り付けるようにして説明したが、搬送機構側に取り付けても良いのは勿論である。
【０１０３】
更には、前述した実施形態では、ギャップ調整機構は２段階にギャップ量を調整している旨説明したが、これに限られるものではなく、２段階以上に設定することもできることは言うまでもない。
【０１０４】
また、用紙ガイドローラは、記録ヘッド近傍で、記録紙搬送方向の上流側に設けられたものとして説明したが、これに限られるものではなく、下流側であってもよく、或いは上流側と下流側の両方に設けられるものであってもよい。
【０１０５】
以上、本発明の実施形態について説明したが、本発明は前述した実施形態に限定されるものではなく、本発明の要旨を逸脱しない範囲で種々の変形実施が可能であるのは勿論である。
【０１０６】
更に、前述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１０７】
【図１】本発明の第１の実施形態に係る画像記録装置の概略的な構成を示したもので、（ａ）は画像記録装置の用紙ガイドローラのクリーニング位置の状態を示す概略側面図、（ｂ）は画像記録装置の画像記録位置の状態を示す概略側面図、（ｃ）は画像記録装置の非記録位置の状態を示す概略側面図である。
【図２】図１の画像記録装置のプラテンの形状を示した図である。
【図３】図１の画像記録部を下方から見た図である。
【図４】用紙ガイド機構の詳細を示したもので、（ａ）は搬送方向から見た図、（ｂ）は用紙ガイド機構の側面図である。
【図５】用紙ガイド機構と搬送機構との位置関係について搬送方向より見て示したもので、（ａ）は用紙ガイドローラのクリーニング状態に於ける位置関係を示した図、（ｂ）は画像記録状態に於ける位置関係を示した図、（ｃ）は非画像記録状態に於ける位置関係を示した図である。
【図６】本発明の第１の実施形態に於けるギャップ調整機構の斜視図である。
【図７】ギャップ調整機構がヘッドユニットに取り付けられた状態を示した断面図である。
【図８】ガイドコマの外観斜視図である。
【図９】調整コマの斜視図であり、（ａ）及び（ｂ）は異なる角度より示した図である。
【図１０】ガイドコマの溝部に突起部が係合している状態を拡大して示した斜視図である。
【図１１】調整コマの底面部のみ拡大して示した斜視図である。
【図１２】調整コマの底面部について説明するもので、（ａ）は調整コマの底面側から見た平面図、（ｂ）は（ａ）のＦ−Ｆ′線に沿ったガイドコマとの当接部の断面図、（ｃ）は（ａ）のＧ−Ｇ′線に沿ったガイドコマとの当接部の断面図である。
【図１３】ガイドコマの底面部について説明するもので、（ａ）はガイドコマの底面側から見た平面図、（ｂ）は（ａ）のＨ−Ｈ′線に沿った調整コマとの当接部の断面図、（ｃ）は（ａ）のＩ−Ｉ′線に沿った調整コマとの当接部の断面図である。
【図１４】ガイドコマと調整コマとの係合状態を示す平面図である。
【図１５】ガイドコマと調整コマとの係合状態を示す断面図である。
【図１６】第１の実施形態に於けるギャップ調整機構の動作を説明するためのもので、ガイドコマを外周面に沿って展開した図である。
【図１７】ギャップ調整機構の動作時に於ける調整コマとガイドコマとの位置関係を示した図である。
【図１８】本発明の第２の実施形態に於ける用紙ガイド機構と搬送機構との位置関係について示したもので、（ａ）は退避位置に於ける位置関係を示した側面図、（ｂ）は用紙ガイドローラのクリーニング状態に於ける位置関係を示した側面図、（ｃ）は画像記録状態に於ける位置関係を示した側面図である。
【図１９】本発明の第２の実施形態に於ける用紙ガイド機構と搬送機構との位置関係について搬送方向より見て示したもので、（ａ）は非画像記録状態に於ける位置関係を示した図、（ｂ）は用紙ガイドローラのクリーニング状態に於ける位置関係を示した図、（ｃ）は画像記録状態に於ける位置関係を示した図である。
【符号の説明】
【０１０８】
１０…画像記録装置、１１…供給部、１２…画像記録部、１３…搬送機構、１４…昇降機構、１５…排出部、２１…記録媒体、２２…給紙台、２３…給紙ローラ、２４…レジストローラ対、２４ａ、２４ｂ…レジストローラ、３１、３１Ｋ、３１Ｃ、３１Ｍ、３１Ｙ…ヘッド部、３２…ヘッド保持部材、３３…ギャップ調整機構、３５…開口、４０、９０…用紙ガイド機構、４１…用紙ガイドローラ、４１ａ…両端部、４１ｂ…中央部、４２…軸、４３…ローラ軸受け、４５…ホルダ、４６…押圧バネ、４８…清掃部材、５１…吸引ファン、５２…搬送ベルト、５３…プラテン、５４…駆動ローラ、５５…従動ローラ、５６…テンションローラ、５７…搬送フレーム、７５…ガイドコマ、７５ａ…底面、７５ｂ…凸部、７５ｃ…溝部、７６…調整コマ、７６ａ…底面、７６ｂ…凸部、７６ｃ…突起、７７…付勢バネ、９１…ホルダ、９２…揺動アーム、９４…付勢バネ。
【図１】
2010126268.tif 000003
【図２】
2010126268.tif 000004
【図３】
2010126268.tif 000005
【図４】
2010126268.tif 000006
【図５】
2010126268.tif 000007
【図６】
2010126268.tif 000008
【図７】
2010126268.tif 000009
【図８】
2010126268.tif 000010
【図９】
2010126268.tif 000011
【図１０】
2010126268.tif 000012
【図１１】
2010126268.tif 000013
【図１２】
2010126268.tif 000014
【図１３】
2010126268.tif 000015
【図１４】
2010126268.tif 000016
【図１５】
2010126268.tif 000017
【図１６】
2010126268.tif 000018
【図１７】
2010126268.tif 000019
【図１８】
2010126268.tif 000020
【図１９】
2010126268.tif 000021